(57)【特許請求の範囲】
【請求項１】
開口部を有する本体と、
蓋体側第１側面において第１方向に平行に延びて形成され、前記開口部に形成されている第１ピンが挿入される第１長孔と、蓋体側第２側面において前記第１方向に平行に延びて形成され、前記開口部に形成されている第２ピンが挿入される第２長孔とを有し、前記開口部を閉鎖する第１位置と、前記第１長孔及び前記第２長孔にガイドされることで前記第１位置から前記第１方向に移動した第２位置と、前記第２位置から前記第１ピン及び前記第２ピンを軸として回転して前記開口部を開放する第３位置とを移動可能な蓋体とを備え、
前記開口部は、
前記第１方向に沿って且つ互いに向き合うように形成される第１側面及び第２側面と、
前記第１側面及び前記第２側面に直交する方向における前記第１側面から前記第２側面までの長さよりも長くなるように、前記第１方向に沿って且つ互いに向き合うように形成される第３側面及び第４側面と、
前記第１側面及び前記第３側面と連なった面であり、前記第１方向に面を向けて形成される第１後面と、
前記第２側面及び前記第４側面と連なった面であり、前記第１方向に面を向けて形成される第２後面と、
前記第１側面と前記第２側面との間に形成され、前記第１方向に向かって高さが低くなるように傾斜した第１斜面と、
前記第３側面に形成され、前記第１方向に向かって高さが低くなるように傾斜した第２斜面と、
前記第４側面に形成され、前記第１方向に向かって高さが低くなるように傾斜した第３斜面と、
前記第２斜面及び前記第３斜面よりも前記第１方向側において前記第２斜面から前記第３斜面へ向かって延びており、前記第１方向に面を向けて形成された前面と、
前記第１斜面の前記第１側面側に取り付けられた第１弾性体と、
前記第１斜面の前記第２側面側に取り付けられた第２弾性体と、
前記第２斜面に取り付けられた第３弾性体と、
前記第３斜面に取り付けられた第４弾性体と、
前記前面に取り付けられた第５弾性体と、
前記第１後面に取り付けられた第６弾性体と、
前記第２後面に取り付けられた第７弾性体と、
前記第１側面から突出した前記第１ピンと、
前記第２側面から突出した前記第２ピンと、を有し、
前記蓋体は、
前記第２位置から前記第１位置へ移動するときに前記第１斜面と平行な斜面を有し、前記第２位置において前記第１弾性体と接触することなく前記第１位置において前記第１弾性体を押圧する蓋体側第１斜面と、
前記第２位置から前記第１位置へ移動するときに前記第１斜面と平行な斜面を有し、前記第２位置において前記第２弾性体と接触することなく前記第１位置において前記第２弾性体を押圧する蓋体側第２斜面と、
前記第２位置から前記第１位置へ移動するときに前記第２斜面と平行な斜面を有し、前記第２位置において前記第３弾性体と接触することなく前記第１位置において前記第３弾性体を押圧する蓋体側第３斜面と、
前記第２位置から前記第１位置へ移動するときに前記第３斜面と平行な斜面を有し、前記第２位置において前記第４弾性体と接触することなく前記第１位置において前記第４弾性体を押圧する蓋体側第４斜面と、
前記第１位置において前記第５弾性体を押圧する蓋体側第１面と、
前記第１位置において前記第６弾性体を押圧する蓋体側第２面と、
前記第１位置において前記第７弾性体を押圧する蓋体側第３面とを有すること
を特徴とする蓋の開閉構造。
【請求項２】
請求項１に記載の蓋の開閉構造であって、
前記蓋体は、フックを有し、
前記開口部は、前記フック部と係合することで前記蓋体を前記第３位置にロックする受けフックを有し、
前記受けフックは、前記第１方向において前記前面と前記第１後面との間に形成されていること
を特徴とする蓋の開閉構造。
【請求項３】
請求項１又は請求項２に記載の蓋の開閉構造であって、
前記開口部は、カードを挿入するためのカード挿入溝を有すること
を特徴とする蓋の開閉構造。
【請求項４】
請求項１から請求項３のいずれか１項に記載の蓋の開閉構造であって、
前記第１弾性体、前記第２弾性体、前記第３弾性体、前記第４弾性体、前記第５弾性体、前記第６弾性体及び前記第７弾性体はいずれも、発泡樹脂で構成されていること
を特徴とする蓋の開閉構造。
【請求項５】
請求項１〜４のいずれか１項に記載の蓋の開閉構造を備えるカメラ。
【発明の詳細な説明】
【技術分野】
【０００１】
本発明は、蓋の開閉構造及びカメラに関するものである。
【背景技術】
【０００２】
従来カメラには、各種カードを挿入するためのカードスロットや電池を挿入するための開口部が設けられている。この開口部には、防塵や破損を防止するために蓋が取り付けられている。蓋の開閉機構としては、回転式も存在するが、開閉の容易さ等の理由からスライド式を採用しているものも多い。近年、カメラ等の開口部において、防滴構造が望まれており、回転式の蓋開閉構造においては、閉じた時に蓋と接触する本体部分にスポンジ等の弾性体を貼着することで防滴性能を確保している（例えば、特許文献１参照）。
【特許文献１】特開２００６−１３４５１４号公報
【発明の開示】
【発明が解決しようとする課題】
【０００３】
しかし、スライド式の開閉構造において、蓋がスライドする部分に弾性体を取り付けた場合、蓋の滑らかな開閉が困難となる。また、弾性体が擦れて劣化し、防滴性能が低下するという問題がある。
【０００４】
本発明の課題は、防滴性能を確保することである。
【課題を解決するための手段】
【０００６】
請求項１に記載の蓋の開閉構造は、開口部を有する本体と、蓋体側第１側面において第１方向に平行に延びて形成され、前記開口部に形成されている第１ピンが挿入される第１長孔と、蓋体側第２側面において前記第１方向に平行に延びて形成され、前記開口部に形成されている第２ピンが挿入される第２長孔とを有し、前記開口部を閉鎖する第１位置と、前記第１長孔及び前記第２長孔にガイドされることで前記第１位置から前記第１方向に移動した第２位置と、前記第２位置から前記第１ピン及び前記第２ピンを軸として回転して前記開口部を開放する第３位置とを移動可能な蓋体とを備え、前記開口部は、前記第１方向に沿って且つ互いに向き合うように形成される第１側面及び第２側面と、前記第１側面及び前記第２側面に直交する方向における前記第１側面から前記第２側面までの長さよりも長くなるように、前記第１方向に沿って且つ互いに向き合うように形成される第３側面及び第４側面と、前記第１側面及び前記第３側面と連なった面であり、前記第１方向に面を向けて形成される第１後面と、前記第２側面及び前記第４側面と連なった面であり、前記第１方向に面を向けて形成される第２後面と、前記第１側面と前記第２側面との間に形成され、前記第１方向に向かって高さが低くなるように傾斜した第１斜面と、前記第３側面に形成され、前記第１方向に向かって高さが低くなるように傾斜した第２斜面と、前記第４側面に形成され、前記第１方向に向かって高さが低くなるように傾斜した第３斜面と、前記第２斜面及び前記第３斜面よりも前記第１方向側において前記第２斜面から前記第３斜面へ向かって延びており、前記第１方向に面を向けて形成された前面と、前記第１斜面の前記第１側面側に取り付けられた第１弾性体と、前記第１斜面の前記第２側面側に取り付けられた第２弾性体と、前記第２斜面に取り付けられた第３弾性体と、前記第３斜面に取り付けられた第４弾性体と、前記前面に取り付けられた第５弾性体と、前記第１後面に取り付けられた第６弾性体と、前記第２後面に取り付けられた第７弾性体と、前記第１側面から突出した前記第１ピンと、前記第２側面から突出した前記第２ピンとを有し、前記蓋体は、前記第２位置から前記第１位置へ移動するときに前記第１斜面と平行な斜面を有し、前記第２位置において前記第１弾性体と接触することなく前記第１位置において前記第１弾性体を押圧する蓋体側第１斜面と、前記第２位置から前記第１位置へ移動するときに前記第１斜面と平行な斜面を有し、前記第２位置において前記第２弾性体と接触することなく前記第１位置において前記第２弾性体を押圧する蓋体側第２斜面と、前記第２位置から前記第１位置へ移動するときに前記第２斜面と平行な斜面を有し、前記第２位置において前記第３弾性体と接触することなく前記第１位置において前記第３弾性体を押圧する蓋体側第３斜面と、前記第２位置から前記第１位置へ移動するときに前記第３斜面と平行な斜面を有し、前記第２位置において前記第４弾性体と接触することなく前記第１位置において前記第４弾性体を押圧する蓋体側第４斜面と、前記第１位置において前記第５弾性体を押圧する蓋体側第１面と、前記第１位置において前記第６弾性体を押圧する蓋体側第２面と、前記第１位置において前記第７弾性体を押圧する蓋体側第３面とを有することを特徴とする。
請求項２に記載の蓋の開閉構造は、請求項１に記載の蓋の開閉構造であって、前記蓋体は、フックを有し、前記開口部は、前記フック部と係合することで前記蓋体を前記第３位置にロックする受けフックを有し、前記受けフックは、前記第１方向において前記前面と前記第１後面との間に形成されていることを特徴とする。
請求項３に記載の蓋の開閉構造は、請求項１又は請求項２に記載の蓋の開閉構造であって、前記開口部は、カードを挿入するためのカード挿入溝を有することを特徴とする。
請求項４に記載の蓋の開閉構造は、請求項１から請求項３のいずれか一項に記載の蓋の開閉構造であって、前記第１弾性体、前記第２弾性体、前記第３弾性体、前記第４弾性体、前記第５弾性体、前記第６弾性体及び前記第７弾性体はいずれも、発泡樹脂で構成されていることを特徴とする。
請求項５に記載のカメラは、請求項１〜４のいずれか１項に記載の蓋の開閉構造を備える。
【発明の効果】
【０００７】
本発明によれば、防滴性能を確保することができる。
【発明を実施するための最良の形態】
【０００８】
以下、図面等を参照して、本発明の一実施形態について説明する。図１は本実施形態のカメラ１０の概略斜視図であり、デジタル一眼レフカメラを例に説明する。カメラ１０は、カメラ本体２と、カメラ本体２の前面に設けられた撮影レンズ４と、カメラ本体２の背面に設けられた液晶ディスプレイ５及びファインダー窓６とを備えている。
【０００９】
液晶ディスプレイ５は撮影時における画像の確認を行うと共に撮影後には撮影した画像の確認を行うものである。ファインダー窓６は被写体の確認を行うものである。カメラ本体２の上面には、撮影時に押下操作されるレリーズボタン７が設けられている。
【００１０】
カメラ本体２の一側面（図１における右側面）にはカメラ本体２に対して開閉する蓋体３が取り付けられている。カメラ本体２及び蓋体３によって本実施形態の蓋体の開閉構造１が構成される。またカメラ本体２は蓋体３により開閉される開口部１１が形成されている。図２はスライド後に蓋体３を起立して開口部１１を開放した状態の斜視図、図３は蓋体３を取り外した状態の開口部１１の斜視図、図４は蓋体３の斜視図である。また、図５は、開口部１１の平面図であり、図６は、開口部１１をＸＺ面で切断した断面図である。図６において蓋体３を点線で示し、図６（ａ）は蓋体３が開く方向にスライドした状態、図６（ｂ）は蓋体３が閉じる方向にスライドした状態を示す。
【００１１】
なお、本実施形態の各図には、説明と理解を容易にするために、ＸＹＺ直交座標系を設けた。この座標系では、蓋体３が開く際にスライドする方向をＸ軸マイナス方向、Ｘ軸と直交し且つカメラ本体２の表面と平行な方向をＹ軸方向、Ｘ軸及びＹ軸と直交し且つカメラ本体２から離れる方向をＺ軸プラス方向とする。
【００１２】
開口部１１は、カメラ本体２に対して不図示のメモリカードあるいは電池などの部品を出し入れするための、カメラ本体２の外面よりも窪んだ部分である。図２において、符号１２は開口部１１に臨むようにカメラ本体２に形成されたカード挿入溝１２であり、このカード挿入溝１２に対してメモリカード等のカードの挿脱が行われる。
【００１３】
図２，３，５，６に示すように、開口部１１はＸマイナス側の第１開口部１１ａとＸマイナス側の第２開口部１１ｂとを備える。第１開口部１１ａと第２開口部１１ｂとは、Ｙ方向に幅が異なり、第２開口部１１ｂの幅は、第１開口部１１ａの幅よりも狭い。
【００１４】
第１開口部１１ａは、その先端（Ｘマイナス方向側端部）に、蓋体３のスライド方向（Ｘ方向）と直交した前側壁面１５を有する。また、第１開口部１１ａは、その後端（Ｘプラス方向側端部）に、蓋体３のスライド方向（Ｘ方向）と直交した後側壁面１６を有する。後側壁面１６は、左右（Ｙ方向両側）に分かれ、その分かれた部分より後方（Ｘマイナス方向）側は第２開口部１１ｂとなっている。
【００１５】
第１開口部１１ａのＹ方向の両側の内側面には、スライド方向に沿って徐々に高くなるように傾斜した斜面１３，１４が形成されている。すなわち、図６に示すように、斜面１３はＸＺ平面上に投影したときに傾きθがプラスとなる方向に傾斜している。斜面１３，１４はＸＺ平面上に投影したときに傾きθがプラスとなる方向に傾斜している。また、斜面１３，１４は互いに平行となっている。
【００１６】
第２開口部１１ｂの底面１８は、蓋体３のスライド方向に沿って徐々に高くなっている。この底面１８は、図６に示すように、開口部１１側の斜面１３，１４と不連続となっている。そして斜面１３，１４と同様にＸＺ平面上に投影したときに傾きγがプラスとなる方向に傾斜している。
【００１７】
そして、第１開口部１１ａの斜面１３，１４と、第２開口部１１ｂの両側１８ａ，１８ｂとは、Ｘマイナス方向端部とＸプラス方向端部との間が不連続で、Ｘマイナス側からＸプラス側に向かってＺプラス方向に延び、一旦、Ｚマイナス側に下がってまたＸマイナス側からＸプラス側に向かってＺプラス方向に延びている。
【００１８】
前側壁面１５、後側壁面１６、斜面１３，１４、及び底面１８の両側１８ａ、１８ｂには、帯状の弾性体２１，２２，２３，２４がそれぞれ貼着、溶着などによって取り付けられている。これらの弾性体としては、発泡ウレタン等の発泡樹脂や弾性ゴム等を用いることができる。
【００１９】
蓋体３は図４に示すように、第１開口部１１ａを覆う本体部３１と、第２開口部１１ｂを覆うヒンジ部３２とが一体的に形成された形状となっている。ヒンジ部３２の面側壁３２ａには蓋体３のスライド方向に伸びる長孔３２ｂが形成されている。なお、第２開口部１１ｂには図３に示すように、長孔３２ｂに挿入される支持ピン１９が内方に突出している。この支持ピン１９が長孔３２ｂに挿入されることにより、蓋体３はＸ軸方向へのスライドが可能となると共に、支持ピン１９を軸として回転可能となる。
【００２０】
図４に戻り、蓋体３の本体部３１における両側面(Ｙ方向両側）は、開口部１１の斜面１３，１４と対応する斜面３３，３４が形成されているとなっている。斜面３３，３４は、開口部１１の斜面１３，１４と同様に、蓋体３のスライド方向（Ｘ軸プラス方向）に沿って徐々に高くなっている。従って、斜面３３，３４も、（起立した状態ではなくスライドしている状態において）ＸＺ平面上に投影したときに傾きが、斜面１３，１４と同じθ、すなわちプラスとなる方向に傾斜している。斜面３３，３４も蓋体３のスライド方向に沿って相互に平行となっている。斜面３３，３４と、開口部１１の斜面１３，１４とにより、後述するように弾性体２３が挟まれて押圧される。
【００２１】
蓋体３における、第２開口部１１ｂの底面１８の両側１８ａ，１８ｂに対応する部分には、斜面３６，３７が形成されている。この斜面３６，３７も蓋体３のスライド方向に沿って徐々に高くなった斜面となっており、（起立した状態ではなくスライドする状態において）ＸＺ平面上に投影したときの傾きが、底面１８と同じγ、すなわちプラスとなる方向に傾斜し、且つ相互に平行となっている。
【００２２】
この蓋体の斜面３３，３４と、斜面３６，３７とは、Ｘマイナス方向端部とＸプラス方向端部との間が不連続で、Ｘマイナス側からＸプラス側に向かってＺプラス方向に延び、一旦、Ｚマイナス側に下がってまたＸマイナス側からＸプラス側に向かってＺプラス方向に延びている。
【００２３】
蓋体３をカメラ本体２へロックするため、蓋体３の裏側にはフック６１が設けられると共に、カメラ本体２の開口部１１の内部にはフック６１が係脱自在に係合する受けフック６２が設けられている。
【００２４】
次に、本実施形態の蓋の開閉構造１の動作について説明する。蓋体３を閉じる場合、まず図２における蓋体３が起立した状態から蓋体３を倒す。そして蓋体３をＸマイナス方向にスライドさせる。このとき、弾性体２１，２２，２３，２４は蓋体３の斜面３３，３４，３６，３７と擦れることなく近づくことができる。そして、弾性体２１，２２，２３，２４と蓋体３の斜面３３，３４，３６，３７とが接触した後、上述の弾性体２１，２２，２３，２４のうちの、前側壁面１５、後側壁面１６に取り付けられた弾性体２１，２２は、蓋体３とカメラ本体２との間に挟まれて押圧される。これにより、蓋体３のスライド方向と直交方向の防滴を確保できる。
【００２５】
また、第１開口部１１ａの斜面１３，１４に取り付けられた弾性体２３は、開口部１１の斜面１３，１４と蓋体３の斜面３３，３４との間に挟まれて押圧される。また、第２開口部１１ｂの両側１８ａ、１８ｂに取り付けられた弾性体２４は、第２開口部１１ｂの底面１８の両側１８ａ，１８ｂと蓋体３の斜面３６，３７との間に挟まれて押圧される。これにより、蓋体３のスライド方向に対する防滴を確保できる。
【００２６】
一方、蓋体３の裏側のフック６１は、カメラ本体２の開口部１１の受けフック６２と係合し、蓋体３がカメラ本体２に対してロックされる。
【００２７】
蓋体３を開く場合は、まず、蓋体３をＸマイナス方向にスライドさせる。このとき、弾性体２１，２２，２３，２４は蓋体３の斜面３３，３４と擦れることなく離れる。また、蓋体３の裏側のフック６１は、カメラ本体２の開口部１１の受けフック６２から解除される。そして、支持ピン１９が長孔３２ｂの端部まで移動した後、蓋体３を起立させて開口部１１を開放する。
【００２８】
以上、本実施形態によると、以下の効果を有する。
（１）カメラ本体２及び蓋体３に蓋体３のスライド方向に沿った斜面をそれぞれ平行となるように形成し、カメラ本体２の斜面１３，１４、底面１８の両側１８ａ、１８ｂに弾性体２３，２４を取り付けているため、蓋体３のスライドを滑らかにすることができる。
（２）弾性体２３，２４が蓋体３のスライドによって擦れて劣化することがないため、防滴性能を維持することができる。
（３）カメラ本体２の第１開口部１１ａの斜面１３，１４に対し第２開口部１１ｂの底面１８ａを不連続として分割している。又、蓋体３の斜面３３，３４と斜面３６，３７とを不連続として分割している。このように、分割構造とすることにより、カメラ本体２側及び蓋体３側の斜面１３，１４，１８ａ，１８ｂ及び３３，３４，３６，３７の角度を大きくすることができる。スライドの長さを長く確保できない場合であっても、斜面を確保することができる。
（４）蓋体３によってカメラ本体２の開口部１１を覆うことにより、防塵及びカード等の破損防止が可能となる。
【００２９】
（変形形態）
以上、説明した実施形態に限定されることなく、以下に示すような種々の変形や変更が可能であり、それらも本発明の範囲内である。
（１）上記実施形態では、第１開口部１１ａの斜面１３，１４と第２開口部１１ｂの底面１８ａとを不連続とすると共に、蓋体３の斜面３３，３４と斜面３６，３７とを不連続としているが、これらを連続的に形成しても良い。
【００３０】
（２）上記実施例では、弾性体２１，２２，２３，２４をカメラ本体２側に取り付けているが、弾性体を蓋体３側の斜面３３，３４及び斜面３６，３７に取り付けても良く、弾性体をカメラ本体２及び蓋体３の双方に取り付けても良い。
【００３１】
（３）上記実施形態では、カメラ１０に適用しているが、携帯電話機、携帯パソコン、その他の機器に同様に適用することができる。
なお、実施形態及び変形形態は、適宜組み合わせて用いることもできるが、詳細な説明は省略する。また、本発明は以上説明した実施形態によって限定されることはない。
【図面の簡単な説明】
【００３２】
【図１】本発明の一実施形態の蓋の開閉構造が適用されたカメラを示す概略斜視図である。
【図２】本発明の一実施形態の蓋の開閉構造を示す斜視図である。
【図３】本発明の一実施形態の蓋の開閉構造に用いるカメラ本体の斜視図である。
【図４】本発明の一実施形態の蓋の開閉構造に用いる蓋体の斜視図である。
【図５】本発明の一実施形態の開口部の平面図である。
【図６】本発明の一実施形態の開口部をＸＺ面で切断した断面図である。
【符号の説明】
【００３３】
１：開閉構造、２：カメラ本体、３：蓋体、１１：開口部、１１ａ：第１開口部、１１ｂ：第２開口部、斜面１３，１４：斜面、１８ａ，１８ｂ：底面の両側、２１，２２，２３，２４:弾性体、３３，３４：斜面、３６，３７：斜面
【図１】
0005223441.tif 000002
【図２】
0005223441.tif 000003
【図３】
0005223441.tif 000004
【図４】
0005223441.tif 000005
【図５】
0005223441.tif 000006
【図６】
0005223441.tif 000007